(57)【要約】【課題】第２リンクの他端部がスライドベースから突出した状態で荷重を加えた場合にもスライダとの支持部分がガタ付く事態を防止する。【解決手段】一端部を介してスライドベース１３０の一端部に回転可能に支持させた第１リンク２３０と、一端部を介してスライダ１３５に回転可能に支持させた第２リンク３３０と、第２リンク３３０の他端部及び第１リンク２３０の他端部にそれぞれ回転可能に支持させた第３リンク４３０とを備え、第３リンク４３０がスライドベース１３０に重なって配置される収納位置と、スライドベース１３０に対して突出した突出位置とに変位可能となる窓用ステー３０において、スライドベース１３０は、基底板部１３１の表面にスライダ１３５を移動可能に支持するものであり、基底板部１３１の一方の側縁には、少なくとも第３リンク４３０が突出位置に配置された場合に第２リンク３３０の一端部表面を覆う係止片部１３４を設けた。【選択図】図３
2018003309.tif 000002
【特許請求の範囲】
【請求項１】
長手方向に沿ってスライダを移動可能に支持したスライドベースと、
一端部を介して前記スライドベースの一端部に回転可能に支持させた第１リンクと、
一端部を介して前記スライダに回転可能に支持させた第２リンクと、
前記第２リンクの他端部及び前記第１リンクの他端部にそれぞれ回転可能に支持させた第３リンクとを備え、
前記スライドベースには、前記第２リンクの一端部表面を覆う係止片部が設けられていることを特徴とする窓用ステー。
【請求項２】
前記スライドベースは、基底板部の表面に前記スライダを移動可能に支持するものであり、
前記係止片部と前記基底板部との間には、前記スライダとともに前記第２リンクが配置されていることを特徴とする請求項１に記載の窓用ステー。
【請求項３】
前記スライダは、前記係止片部に向けて突出した支持突起部を有することを特徴とする請求項２に記載の窓用ステー。
【請求項４】
前記スライドベースは、基底板部の表面に前記スライダを移動可能に支持するものであり、
前記第３リンクは、前記スライドベースに重なって配置される収納位置と、前記基底板部の一方の側縁から突出した突出位置とに変位可能となるものであり、
前記基底板部の他方の側縁には、前記一方の側縁に向けて前記基底板部の表面から漸次離隔するように傾斜したレール部が設けてあり、
前記スライダは、前記レール部の表面を覆う部分を有していることを特徴とする請求項１に記載の窓用ステー。
【請求項５】
前記スライドベースは、基底板部の表面に前記スライダを移動可能に支持するものであり、
前記第３リンクは、前記スライドベースに重なって配置される収納位置と、前記基底板部の一方の側縁から突出した突出位置とに変位可能となるものであり、
前記第２リンクは、前記第３リンクが前記収納位置に配置されている場合、前記スライダとの支持中心よりも前記第３リンクとの支持中心が前記基底板部の他方の側縁に近接して配置されていることを特徴とする請求項１に記載の窓用ステー。
【請求項６】
請求項１〜請求項５のいずれか１つに記載した窓用ステーの前記スライドベースを枠体に取り付けるとともに、前記第３リンクを障子に取り付けたことを特徴とする建具。
【発明の詳細な説明】
【技術分野】
【０００１】
本発明は、窓用ステー及び建具に関するものである。
【背景技術】
【０００２】
縦すべり出し窓においては、窓用ステーによって障子が枠体に支持されており、窓用ステーの動作により、枠体に対して障子を閉じた位置と開いた位置との間を移動することが可能である。窓用ステーとしては、スライドベース、スライダ及び第１リンク〜第３リンクを備えて構成されたものが適用されている。スライドベースは、スライダを長手方向に沿って移動可能に支持するものである。第１リンクは、一端部を介してスライドベースの一端部に回転可能に支持されている。第２リンクは、一端部を介してスライダに回転可能に支持されている。第３リンクは、第２リンクの他端部及び第１リンクの他端部にそれぞれ回転可能に支持されており、スライドベースに重なって配置される収納位置と、スライドベースに対して交差するように突出した突出位置とに変位することが可能である。この窓用ステーは、縦すべり出し窓に適用した場合、上枠と上框との間及び下枠と下框との間に配設される。具体的には、スライドベースが上枠及び下枠に取り付けられ、第３リンクが上框及び下框に取り付けられる。第３リンクが収納位置に配置されている場合には、枠体に対して障子が閉じた状態となる。第３リンクが突出位置に移動した場合には、一方の縦框が面外方向に突出し、障子が開いた状態となる（例えば、特許文献１参照）。
【先行技術文献】
【特許文献】
【０００３】
【特許文献１】特開２００１−３５５３７２号公報
【発明の概要】
【発明が解決しようとする課題】
【０００４】
ところで、この種の窓用ステーでは、障子が開いた場合、スライドベースに対して第２リンクの他端部が突出した状態となり、第２リンクの他端部に障子の荷重が加えられることになる。上述したように、第２リンクは、一端部を介してスライダに支持されているだけである。従って、障子を繰り返し開閉した場合には、第２リンクの他端部に障子の荷重が繰り返し加えられることになり、スライダとの支持部分にガタ付きを来たし、障子を開いた際に下方に傾く事態を招来するおそれがある。
【０００５】
本発明は、上記実情に鑑みて、第２リンクの他端部がスライドベースから突出した状態で第２リンクに荷重を加えた場合にもスライダとの支持部分がガタ付く事態を防止することのできる窓用ステー及び建具を提供することを目的とする。
【課題を解決するための手段】
【０００６】
上記目的を達成するため、本発明に係る窓用ステーは、長手方向に沿ってスライダを移動可能に支持したスライドベースと、一端部を介して前記スライドベースの一端部に回転可能に支持させた第１リンクと、一端部を介して前記スライダに回転可能に支持させた第２リンクと、前記第２リンクの他端部及び前記第１リンクの他端部にそれぞれ回転可能に支持させた第３リンクとを備え、前記スライドベースには、前記第２リンクの一端部表面を覆う係止片部が設けられていることを特徴とする。
【０００７】
この発明によれば、第２リンクの一端部表面がスライドベースの係止片部によって覆われているため、第２リンクの他端部が下方に傾く事態が防止され、第２リンクに繰り返し荷重が加えられた場合にもスライダとの支持部分にガタ付きを生じるおそれがない。
【０００８】
また本発明は、上述した窓用ステーにおいて、前記スライドベースは、基底板部の表面に前記スライダを移動可能に支持するものであり、前記係止片部と前記基底板部との間には、前記スライダとともに前記第２リンクが配置されていることを特徴とする。
【０００９】
この発明によれば、第２リンクと共にスライダがスライドベースに対して傾く事態が防止されることになり、第２リンクが下方に傾く事態をより確実に防止することができる。
【００１０】
また本発明は、上述した窓用ステーにおいて、前記スライダは、前記係止片部に向けて突出した支持突起部を有することを特徴とする。
【００１１】
この発明によれば、スライドベースの基底板部と係止片部との間に直接スライダを挟持させることができ、スライドベースに対するスライダの傾きがより確実に防止される。
【００１２】
また本発明は、上述した窓用ステーにおいて、前記スライドベースは、基底板部の表面に前記スライダを移動可能に支持するものであり、前記第３リンクは、前記スライドベースに重なって配置される収納位置と、前記基底板部の一方の側縁から突出した突出位置とに変位可能となるものであり、前記基底板部の他方の側縁には、前記一方の側縁に向けて前記基底板部の表面から漸次離隔するように傾斜したレール部が設けてあり、前記スライダは、前記レール部の表面を覆う部分を有していることを特徴とする。
【００１３】
この発明によれば、スライダにおいてレール部の表面を覆う部分が第３リンクの下面に当接して支持するため、第３リンクが下方に傾く事態がより確実に防止される。
【００１４】
また本発明は、上述した窓用ステーにおいて、前記スライドベースは、基底板部の表面に前記スライダを移動可能に支持するものであり、前記第３リンクは、前記スライドベースに重なって配置される収納位置と、前記基底板部の一方の側縁から突出した突出位置とに変位可能となるものであり、前記第２リンクは、前記第３リンクが前記収納位置に配置されている場合、前記スライダとの支持中心よりも前記第３リンクとの支持中心が前記基底板部の他方の側縁に近接して配置されていることを特徴とする。
【００１５】
この発明によれば、第２リンクの他端部が基底板部の他方の側縁に近接するように第２リンクがスライドベースに対して傾斜しているため、第３リンクが収納位置から突出位置に移動する際にそのまま第２リンクの他端部がスライドベースから突出するように移動することができる。
【００１６】
また本発明に係る建具は、上述した窓用ステーの前記スライドベースを枠体に取り付けるとともに、前記第３リンクを障子に取り付けたことを特徴とする。
【００１７】
この発明によれば、障子が開くことによって第３リンクが突出位置に配置された場合にも、第２リンクの一端部表面がスライドベースの係止片部によって覆われているため、第２リンクの他端部が下方に傾く事態が防止され、障子を開閉することによって第２リンクに繰り返し荷重が加えられた場合にもスライダとの支持部分にガタ付きを生じるおそれがない。
【発明の効果】
【００１８】
本発明によれば、第２リンクの一端部表面がスライドベースの係止片部によって覆われているため、第２リンクの他端部が下方に傾く事態が防止され、第２リンクに繰り返し荷重が加えられた場合にもスライダとの支持部分にガタ付きを生じるおそれがない。
【図面の簡単な説明】
【００１９】
【図１】図１は、本発明の実施の形態である窓用ステーを適用した建具において障子が開いた状態の斜視図である。
【図２】図２は、図１に示した建具に適用する窓用ステーの斜視図である。
【図３】図３は、図２に示した窓用ステーにおいて第３リンクが突出位置に配置された状態の平面図である。
【図４】図４は、図２に示した窓用ステーにおいて第３リンクが収納位置に配置された状態の平面図である。
【図５】図５は、図４におけるＸ−Ｘ線拡大断面図である。
【図６】図６は、図３におけるＡ−Ａ線拡大断面図である。
【図７】図７は、図３におけるＢ−Ｂ線拡大断面図である。
【図８】図８は、図３におけるＣ−Ｃ線拡大断面図である。
【図９】図９は、図３におけるＤ−Ｄ線拡大断面図である。
【発明を実施するための形態】
【００２０】
以下、添付図面を参照しながら本発明に係る窓用ステー及び建具の好適な実施の形態について詳細に説明する。
図１は、本発明の実施の形態である窓用ステーを適用した建具を示したものである。ここで例示する建具は、枠体１０に対して障子２０が室外側に向けて押し開らかれるように構成した、いわゆる縦すべり出し窓と称されるものである。枠体１０は、上枠１１、下枠１２及び左右の縦枠１３，１４を四周枠組みすることによって構成してある。障子２０は、ガラス２１の四周に上框２２、下框２３及び左右の縦框２４，２５を装着することによって構成したものである。枠体１０を構成する枠１１，１２，１３，１４及び障子２０を構成する框２２，２３，２４，２５は、アルミニウム合金や樹脂によって成形した押し出し形材であり、それぞれが一様な断面形状を有するように構成してある。
【００２１】
障子２０の下框２３と枠体１０の下枠１２との間、及び障子２０の上框２２と枠体１０の上枠１１との間には、それぞれフリクションステーと称される窓用ステー３０が設けてある。下框２３及び下枠１２の間に設ける窓用ステー３０と、上框２２及び上枠１１の間に設ける窓用ステー３０とは、枠体１０に対して障子２０を開閉可能に支持するもので、対称となる構成を有している。このため、以下においては下框２３及び下枠１２の間に設けた窓用ステー３０についてのみ詳述し、もう一方については同一の符号を付して詳細説明を省略することとする。また、本実施の形態では、室内側から見た場合に左側に位置する縦框（以下、区別する場合に「戸尻框２５」という）を中心として右側に位置する縦框（以下、区別する場合に「戸先框２４」という）が室外側に向けて回転するように構成した縦すべり出し窓を前提として説明を行う。因に、室内側から見た場合に右側に位置する縦框２４を中心として左側に位置する縦框２５が室外側に向けて回転するように構成した縦すべり出し窓に窓用ステーを適用する場合には、以下に説明するそれぞれの要素を左右対称となるように構成すれば良い。
【００２２】
図２〜図９に示すように、窓用ステー３０は、スライドベース１３０、第１リンク２３０、第２リンク３３０、第３リンク４３０及び第４リンク５３０を備えて構成してある。これらスライドベース１３０、第１リンク２３０、第２リンク３３０、第３リンク４３０及び第４リンク５３０は、それぞれが下框２３の見込み方向に沿った寸法よりも小さい幅を有し、かつ下框２３の長手に沿った寸法よりも小さい長さを有した長尺状の部材として構成してある。ここで、見込み方向とは、図１中の矢印Ａで示すように、縦すべり出し窓の奥行きに沿った方向のことである。見込み方向に沿った平面については、見込み面と称する場合がある。また、見付け方向とは、下枠１２や下框２３等のように水平に沿った部材の場合、見込み方向に直交した上下に沿う方向であり、縦框２４，２５等のように上下に沿った部材の場合、見込み方向に直交した水平に沿う方向である。見付け方向に沿った平面については、見付け面と称する場合がある。さらに、長手方向とは、それぞれを押し出し成形する場合の押し出し方向に一致した方向である。
【００２３】
スライドベース１３０は、比較的板厚の大きな鋼材等の金属板材を折り曲げ成形することによって構成したものである。本実施の形態で適用するスライドベース１３０は、２ｍｍ程度の板厚を有した鋼材によって構成したもので、基底板部１３１、レール部１３２、起立壁部１３３及び係止片部１３４を有している。基底板部１３１は、下枠１２の見込み面１２ａに取り付けられる部分であり、複数のネジ挿通孔１３１ａを有した平板状に構成してある。レール部１３２は、基底板部１３１の室外側に位置する縁部から室内側に向けて漸次基底板部１３１から離隔するように傾斜延在した平板状部分である。本実施の形態では、基底板部１３１との挟角ａが４５°よりも小さい角度となるようにレール部１３２が形成してある。起立壁部１３３は、基底板部１３１の室内側に位置する縁部から上方に向けて突出した部分である。起立壁部１３３の基底板部１３１からの突出寸法ｂは、レール部１３２の突出寸法に対してほぼ２倍となるように構成してある。係止片部１３４は、起立壁部１３３の突出端部から室外側に向けてほぼ直角に屈曲した部分である。レール部１３２の突出端部と係止片部１３４の突出端部との間には、基底板部１３１の表面１３１ｂを外部に露出することのできる隙間ｃが確保してある。このスライドベース１３０には、スライダ１３５及び引き寄せ部材１３６が設けてある。
【００２４】
スライダ１３５は、スライドベース１３０に対して１／５程度の長さを有したブロック状部材であり、スライドベース１３０の長手方向に沿って移動可能となるように配設してある。本実施の形態では、金属材から成るスライダ本体１３５Ａと、樹脂材から成るカバー部材１３５Ｂとを備えたスライダ１３５を例示している。スライダ本体１３５Ａは、レール部１３２と起立壁部１３３との間において基底板部１３１の表面１３１ｂに配置されるもので、スライドガイド部１３５Ａａ及び支持突起部１３５Ａｂを有している。スライドガイド部１３５Ａａは、スライドベース１３０の基底板部１３１とレール部１３２との間の隙間に介在される部分である。支持突起部１３５Ａｂは、スライドベース１３０の係止片部１３４に対向する部分から上方に突出し、突出端部が係止片部１３４に近接して配置されるものである。図３に示すように、支持突起部１３５Ａｂは、室内側から見た場合に、スライダ本体１３５Ａの表面において中心よりもわずかに右側となる部分の室内側縁部にのみ設けてある。カバー部材１３５Ｂは、スライダ本体１３５Ａの表面を覆うカバー基部１３５Ｂａと、スライドベース１３０に設けたレール部１３２の表面を覆う挟持支持部１３５Ｂｂと、スライダ本体１３５Ａの支持突起部１３５Ａｂを覆う当接カバー部１３５Ｂｃとを有したものである。挟持支持部１３５Ｂｂは、カバー基部１３５Ｂａよりも板厚が大きく構成してあり、表面がカバー基部１３５Ｂａとほぼ同一の平面上に位置し、かつスライダ本体１３５Ａのスライドガイド部１３５Ａａとの間にスライドベース１３０のレール部１３２を挟持している。当接カバー部１３５Ｂｃは、スライドベース１３０の係止片部１３４との間にわずかな隙間を確保した状態で支持突起部１３５Ａｂの表面を覆うように設けてある。
【００２５】
引き寄せ部材１３６は、図２、図３、図５及び図９に示すように、スライドベース１３０において障子２０の戸尻框２５が配置される側の端部（以下、スライドベース１３０の「基端部」という）に設けたもので、後述する第３リンク４３０が収納位置に配置された場合に第３リンク４３０の一端部と係合することにより、第３リンク４３０の一端部が室外側に移動するのを防止するように機能する。本実施の形態では、スライドベース１３０の基底板部１３１よりも表面側に突出する規制壁部１３６ａを備えた引き寄せ部材１３６を適用している。規制壁部１３６ａは、上方から見た場合、室内側においてはスライドベース１３０の長手に沿って直線状に延在し、その延在端部から室外側に向けて漸次スライドベース１３０の基端部に近接するように傾斜して延在するものである。なお、図３中の符号１３７は、スライダ１３５の移動を規制するためにスライドベース１３０に設けたストッパ片である。
【００２６】
第１リンク２３０は、スライドベース１３０に対して２／３程度の長さに構成したもので、一端部が第１支持軸２３１を介してスライドベース１３０の先端部に回転可能に支持させてある。第１支持軸２３１は、スライドベース１３０の基底板部１３１に対して軸芯が直交する方向に沿うように配設してある。スライドベース１３０において第１リンク２３０を支持させる先端部とは、本実施の形態の場合、障子２０の戸先框２４が配置される側の端部、つまり室内側から見て右側の端部である。図２及び図５からも明らかなように、第１リンク２３０は、ほぼ中間となる部分が上下にクランク状となるように曲折しており、一端部に対して他端部が一段高くなっている。
【００２７】
第２リンク３３０は、スライダ１３５とほぼ同じ長さに構成したもので、一端部が第２支持軸（第２リンク３３０とスライダ１３５との支持中心）３３１を介してスライダ１３５の表面１３５ａにおける長手のほぼ中央となる部分に回転可能に支持させてある。第２支持軸３３１は、軸芯が第１支持軸２３１の軸芯とほぼ平行となり、かつ第２リンク３３０が回転した場合にも常にその一部がスライドベース１３０の係止片部１３４に対向するように配設してある。第２リンク３３０の一端部には、表面及び周面を覆うように樹脂カバー３３２が装着してある。この第２リンク３３０は、樹脂カバー３３２及びスライダ１３５と重ね合わせて積層した場合の板厚ｄが、スライドベース１３０において基底板部１３１から係止片部１３４までの離隔距離、つまり上述した起立壁部１３３の基底板部１３１からの突出寸法ｂよりもわずかに小さい寸法に設定してある。
【００２８】
第３リンク４３０は、下框２３の見込み面２３ａに取り付けられる部分である。本実施の形態では、第１リンク２３０の５／６程度の長さを有し、複数のネジ挿通孔４３０ａを有した平板状に構成してある。この第３リンク４３０は、一端部が第３支持軸（第２リンク３３０と第３リンク４３０との支持中心）４３１を介して第２リンク３３０の他端部表面に回転可能に支持させてある。第３リンク４３０において長手のほぼ中央となる部位は、第４支持軸４３２を介して第１リンク２３０の他端部表面に回転可能に支持させてある。第３支持軸４３１及び第４支持軸４３２は、第１支持軸２３１とほぼ平行となるように配設してある。
【００２９】
図２及び図３からも明らかなように、第３リンク４３０の一端部には、引き寄せ係合部４３０ｂが設けてある。引き寄せ係合部４３０ｂは、第３リンク４３０をスライドベース１３０に沿ってほぼ平行となるように重ねて配置した場合（以下、第３リンク４３０の「収納位置」という）、引き寄せ部材１３６の規制壁部１３６ａに係合する部分である。すなわち、引き寄せ係合部４３０ｂは、収納位置に配置された場合に室内側においては第３リンク４３０の長手に沿って直線状に延在し、かつその延在端部から室外側に向けて漸次他端部側に傾斜した外形形状に構成してある。
【００３０】
第４リンク５３０は、第３リンク４３０の１／２程度の長さに構成したもので、一端部が第５支持軸５３１を介してスライダ１３５の表面１３５ａに回転可能に支持させてある。第５支持軸５３１は、支持突起部１３５Ａｂを挟んで第２支持軸３３１に対応する部位に、第１支持軸２３１とほぼ平行となるように配設してある。第４リンク５３０の他端部は、第６支持軸５３２を介して第１リンク２３０に回転可能に支持させてある。第６支持軸５３２は、第１リンク２３０において一端部よりも一段高くなった他端部側の曲折部に近接した部分に、第１支持軸２３１とほぼ平行となるように配設してある。
【００３１】
上記のように構成した窓用ステー３０は、基底板部１３１を介してスライドベース１３０が下枠１２の見込み面１２ａに取り付けられ、第３リンク４３０が下框２３の見込み面２３ａに取り付けられる。スライドベース１３０を取り付ける位置は、図１に示すように、引き寄せ部材１３６が戸尻框２５に対応する縦枠１４の見込み面に接触する位置である。この窓用ステー３０では、枠体１０に対して障子２０を閉じた場合に第３リンク４３０が収納位置に配置され、第１リンク２３０、第２リンク３３０及び第４リンク５３０がそれぞれスライドベース１３０に重なる位置に配置される。より具体的には、図４に示すように、スライダ１３５がスライドベース１３０の基端部に位置し、スライダ１３５から第２リンク３３０及び第４リンク５３０が互いに反対側に向けて延在するとともに、第４リンク５３０の上方に第１リンク２３０が重ね合わされた状態となり、さらに第１リンク２３０の上方に第３リンク４３０が重ね合わされた状態となる。
【００３２】
ここで、この窓用ステー３０では、障子２０が閉じた状態にある場合、第３リンク４３０についてはスライドベース１３０に沿ってほぼ平行な状態となるものの、第２リンク３３０については第２支持軸３３１よりも第３支持軸４３１が室外側に位置しており、第３リンク４３０との連結部となる他端部が室外側に傾斜して配置されるように構成してある。同様に、第４リンク５３０においては第５支持軸５３１よりも第６支持軸５３２が室外側に位置しており、第１リンク２３０との連結部となる他端部が室外側に傾斜して配置されるように構成してある。
【００３３】
上述の状態から、戸先框２４が室外に突出するように障子２０を開くと、第３リンク４３０が第３支持軸４３１を中心として他端部が室外側に突出した突出位置となるように回転するとともに、第３リンク４３０の回転に伴って第１リンク２３０が第１支持軸２３１を中心として他端部が室外側に突出するように回転する。これら第３リンク４３０及び第１リンク２３０が回転した場合には、スライダ１３５がスライドベース１３０の先端部側に移動するとともに、第２リンク３３０及び第４リンク５３０がそれぞれの他端部を室外側に突出するように回転する。この結果、縦すべり出し窓においては、図１に示すように、戸尻框２５がスライドベース１３０の先端部側に移動した状態で障子２０が戸尻框２５を中心として回転することになり、枠体１０に対して障子２０が室外側にほぼ直角に突出した状態で開くことになる。
【００３４】
上述の動作の間、この窓用ステー３０を適用した縦すべり出し窓によれば、障子２０が閉じて第３リンク４３０が収納位置に配置されている際に、第２リンク３３０の他端部及び第４リンク５３０の他端部がそれぞれ予め突出方向の室外側に傾斜した姿勢となっている。従って、第３リンク４３０が回転した際に第２リンク３３０の他端部及び第４リンク５３０の他端部がそれぞれスムーズに室外側に回転することになり、障子２０を閉じた状態から全開となるまで開く操作を滑らかに行うことが可能となる。
【００３５】
しかも、障子２０が開いて第２リンク３３０の他端部がスライドベース１３０から室外側に突出した状態であっても、第２リンク３３０の一端部において第２支持軸３３１よりも一端側に位置する部分の表面がスライドベース１３０の係止片部１３４に覆われた状態にある。さらに、第２リンク３３０の下面には、スライダ１３５のカバー部材１３５Ｂに設けた挟持支持部１３５Ｂｂを介してスライドベース１３０のレール部１３２に支持された状態にある。また、スライダ１３５についても当接カバー部１３５Ｂｃを介して支持突起部１３５Ａｂが係止片部１３４に覆われた状態にある。従って、第２リンク３３０の他端部が下方に傾く事態が防止され、第２リンク３３０に対して障子２０の荷重が繰り返し加えられた場合にもスライダ１３５との支持部分である第２支持軸３３１との間にガタ付きを生じるおそれがなく、障子２０を開いた際に第２リンク３３０が下方に傾く事態を招来するおそれもない。
【００３６】
なお、上述した実施の形態において例示した第１リンク２３０、第２リンク３３０、第３リンク４３０及び第４リンク５３０の長手に沿った寸法の比は、あくまでも例示のためであって実施の形態のものに限定されないのはいうまでもない。また、第４リンク５３０を備えた窓用ステー３０を例示しているが、第４リンクは必ずしも必要ではない。なお第４リンク５３０を備えた窓用ステー３０において上述した実施の形態では、第３リンク４３０が収納位置に配置された状態で室外側に突出する第６支持軸５３２が第５支持軸５３１よりも室外側に位置し、スライドベース１３０に対して第４リンク５３０が傾斜姿勢となるように構成しているが、必ずしも第３リンクが収納位置に配置された際に第４リンクがスライドベースに対して傾斜している必要はない。
【００３７】
また、上述した実施の形態では、スライドベース１３０の基底板部１３１と係止片部１３４との間に直接スライダ１３５を挟持させるようにしているため、スライドベース１３０に対するスライダ１３５及び第２リンク３３０が室外側において下方に傾く事態をより確実に防止することができるが、必ずしもスライダを直接係止片部に当接させる必要はない。
【００３８】
さらに、上述した実施の形態では、第３リンク４３０の収納位置として、スライドベース１３０とほぼ平行となるように配置した状態を例示しているが、必ずしもスライドベースと平行である必要はなく、スライドベースと重なっていれば多少傾いていても構わない。
【００３９】
またさらに、上述した実施の形態では、常に第２リンク３３０の一端部の表面を覆うように係止片部１３４を設けているが、第３リンク４３０が突出位置に配置された場合にのみ第２リンクの一端部の表面を覆うように係止片部を設ければ十分であり、第３リンクが収納位置に配置されている場合には第２リンクの表面が係止片部によって覆われている必要はない。
【符号の説明】
【００４０】
１０  枠体、２０  障子、３０  窓用ステー、１３０  スライドベース、１３１  基底板部、１３１ｂ  表面、１３２  レール部、１３４  係止片部、１３５  スライダ、１３５Ａｂ  支持突起部、１３５ａ  表面、２３０  第１リンク、２３１  第１支持軸、３３０  第２リンク、３３１  第２支持軸、４３０  第３リンク、４３１  第３支持軸、４３２  第４支持軸、５３０  第４リンク、５３１  第５支持軸、５３２  第６支持軸
【図１】
2018003309.tif 000003
【図２】
2018003309.tif 000004
【図３】
2018003309.tif 000005
【図４】
2018003309.tif 000006
【図５】
2018003309.tif 000007
【図６】
2018003309.tif 000008
【図７】
2018003309.tif 000009
【図８】
2018003309.tif 000010
【図９】
2018003309.tif 000011